(57)【要約】【課題】エレベータの運転効率を高める制御装置を提供する。【解決手段】かご呼び及び乗場呼びが登録され、登録されたかご呼び及び乗場呼びに応答して、かごの走行及び停止を制御するエレベータの制御装置であって、終端階又は終端階近傍の第一の階のかご呼又は乗場呼に応答し、かご２を終端階方向に走行させる途中で終端階近傍の第二の階に停止させたときに、第二の階の反終端階方向の乗場呼びが登録されている場合は、反終端階方向への移動を所望する第二の階の待客に対して第二の階に停止中のかご２に乗り込むように誘導するとともに、第二の階の反終端階方向の乗場呼びを取り消す乗場呼び登録取消手段１０を備え、前記乗場呼び登録取消手段により、前記第二の階の反終端階方向の乗場呼びを取り消したときは、取り消された第二の階の反終端階方向の乗場呼びに応答しないで、かご２の走行及び停止を制御する構成とした。【選択図】図１
2009051577.tif 000002
【特許請求の範囲】
【請求項１】
かご呼び及び乗場呼びが登録され、登録されたかご呼び及び乗場呼びに応答して、かごの走行及び停止を制御するエレベータの制御装置であって、
終端階又は前記終端階近傍の第一の階のかご呼又は乗場呼に応答し、前記かごを前記終端階方向に走行させる途中で前記終端階近傍の第二の階に停止させたときに、前記第二の階の反終端階方向の乗場呼びが登録されている場合は、前記反終端階方向への移動を所望する前記第二の階の待客に対して前記第二の階に停止中の前記かごに乗り込むように誘導するとともに、前記第二の階の反終端階方向の乗場呼びを取り消す乗場呼び登録取消手段、
を備え、
前記乗場呼び登録取消手段により、前記第二の階の反終端階方向の乗場呼びを取り消したときは、取り消された前記第二の階の反終端階方向の乗場呼びに応答しないで、前記かごの走行及び停止を制御することを特徴とするエレベータの制御装置。
【請求項２】
乗場呼び登録取消手段により、第二の階の反終端階方向の乗場呼びを取り消したときは、かごを前記第二の階から終端階又は第一の階まで走行させた後に反転走行させ、反転走行時の前記かごを前記第二の階に停止させないで通過させることを特徴とする請求項１記載のエレベータの制御装置。
【請求項３】
乗場呼び登録取消手段により、第二の階の反終端階方向の乗場呼びを取り消したときに、前記第二の階よりも終端階側の各階の乗場呼びが未登録で、前記第二の階よりも前記終端階側の各階のかご呼びが少なくとも一つ登録されていて、かつ、かごが無負荷の場合は、前記第二の階よりも前記終端階側の階の前記かご呼びを取り消して、前記かごを前記終端階方向に走行させずに前記反終端階方向に走行させることを特徴とする請求項１記載のエレベータの制御装置。
【請求項４】
第二の階は、最上階直下階及び最下階直上階の少なくとも一方を含むことを特徴とする請求項１〜請求項３のいずれかに記載のエレベータの制御装置。
【請求項５】
第二の階は、待客が多いことが予め知られている階を含むことを特徴とする請求項１〜請求項４に記載のエレベータの制御装置。
【発明の詳細な説明】
【技術分野】
【０００１】
この発明は、エレベータの制御装置に関するものである。
【背景技術】
【０００２】
エレベータの運行効率を高めるため、複数台のエレベータかごが並設されたエレベータの各階床のエレベータ乗場に配設され、上昇方向または下降方向の乗場呼びを登録する乗場呼び登録手段と、前記乗場呼び登録に従って前記複数台のエレベータかごの中から最適なエレベータかごを選択して前記エレベータかごを乗場呼びに割当てる群管理手段と、前記割当てに応じて終端階へ向うエレベータかごの終端階かご呼びを終端階の１階床手前のエレベータ乗場において自動で登録するかご呼び自動登録手段とを具備することを特徴とするエレベータの呼登録装置が提案されている（例えば、特許文献１参照）。
【０００３】
【特許文献１】特開平５−２１３５４１号公報
【発明の開示】
【発明が解決しようとする課題】
【０００４】
しかし、特許文献１記載のものでも、例えば、かごが下方より最上階の直下階（ＴＯＰ−１階）のかご呼びまたは上昇方向の乗場呼び（アップ呼）に応答して、最上階の直下階に走行して停止した際、最上階のかご呼びまたは最上階の乗場呼び（ダウン呼）があると、一端、最上階に走行する。このため、最上階の直下階で下降方向の乗場呼び（ダウン呼）で待っている利用者は、最上階の直下階に下降方向で戻ってきたかごに乗り込まなければならない。また、当該利用者が最上階に行く前に最上階の直下階でかごに乗り込んだとしても、最上階の直下階の下降方向の乗場呼びが残っている。このため、最上階の直下階で待っている利用者がいなくても、かごは、再度、最上階の直下階に停止することになり、無駄な時間が生じるという問題があった。
【０００５】
この発明は、上述のような課題を解決するためになされたもので、その目的は、エレベータの運転効率を高める制御装置を提供することである。
【課題を解決するための手段】
【０００６】
この発明に係るエレベータの制御装置は、かご呼び及び乗場呼びが登録され、登録されたかご呼び及び乗場呼びに応答して、かごの走行及び停止を制御するエレベータの制御装置であって、終端階又は前記終端階近傍の第一の階のかご呼又は乗場呼に応答し、前記かごを前記終端階方向に走行させる途中で前記終端階近傍の第二の階に停止させたときに、前記第二の階の反終端階方向の乗場呼びが登録されている場合は、前記反終端階方向への移動を所望する前記第二の階の待客に対して前記第二の階に停止中の前記かごに乗り込むように誘導するとともに、前記第二の階の反終端階方向の乗場呼びを取り消す乗場呼び登録取消手段を備え、前記乗場呼び登録取消手段により、前記第二の階の反終端階方向の乗場呼びを取り消したときは、取り消された前記第二の階の反終端階方向の乗場呼びに応答しないで、前記かごの走行及び停止を制御するものである。
【発明の効果】
【０００７】
この発明は、かご呼び及び乗場呼びが登録され、登録されたかご呼び及び乗場呼びに応答して、かごの走行及び停止を制御するエレベータの制御装置であって、終端階又は前記終端階近傍の第一の階のかご呼又は乗場呼に応答し、前記かごを前記終端階方向に走行させる途中で前記終端階近傍の第二の階に停止させたときに、前記第二の階の反終端階方向の乗場呼びが登録されている場合は、前記反終端階方向への移動を所望する前記第二の階の待客に対して前記第二の階に停止中の前記かごに乗り込むように誘導するとともに、前記第二の階の反終端階方向の乗場呼びを取り消す乗場呼び登録取消手段を備え、前記乗場呼び登録取消手段により、前記第二の階の反終端階方向の乗場呼びを取り消したときは、取り消された前記第二の階の反終端階方向の乗場呼びに応答しないで、前記かごの走行及び停止を制御する構成としたことで、エレベータの運転効率を高めることができる。
【発明を実施するための最良の形態】
【０００８】
この発明をより詳細に説明するため、添付の図面に従ってこれを説明する。なお、各図中、同一又は相当する部分には同一の符号を付しており、その重複説明は適宜に簡略化ないし省略する。
【０００９】
実施の形態１．
図１はこの発明の実施の形態１におけるエレベータの制御装置の概略システム構成図であって、かごが最上階の直下階に停止している状態を示している図、図２はかごが最上階の直下階から最上階へ走行する状態を示した図１相当図であって、かご走行制御手段等を省略した図、図３はかごが最上階から最上階の直下階に停止せずに反最上階方向へ走行する状態を示した図２相当図、図４はこの発明の実施の形態１におけるエレベータの制御装置の最上階近傍での動作を説明するフローチャート、図５はこの発明の実施の形態１におけるエレベータの制御装置の最下階近傍での動作を説明するフローチャートである。
【００１０】
図１〜図３において、１は昇降路である。この昇降路１は、建築物の最下階（ＢＯＴ階）から最上階（ＴＯＰ階）に渡って形成される空間から構成される。図では、建築物の各階に対応する昇降路１の各対応部を、横線で区切って示している。即ち、図１〜図３においては、昇降路１は５階建ての建築物に対応している。２はエレベータのかごである。このかご２は、昇降内１で巻上機（図示せず）等からなる駆動装置３により昇降される。４はエレベータの各乗場である。これらの乗場４は、建築物の各階で昇降路１に接して設けられる。
【００１１】
ここで、かご２には、各階に対応するかご釦２ａが設けられる。このかご釦２ａは、かご呼び登録手段７に接続される。そして、かご２内の利用者が所望する行き先階に対応するかご釦２ａを押すことにより、かご呼び２ｂがかご呼び登録手段７に登録される。なお、図１及び図２においては、各階に対応したかご呼び２ｂが登録されている場合を、昇降路１の各階対応位置に丸印を付すことで模式的に示している。例えば、図１においては、最上階の直下階に、かご呼び２ｂが登録されている状態を示している。
【００１２】
一方、終端階（最上階及び最下階）以外の乗場４には、上昇方向及び下降方向の乗場釦５が設けられる（図１参照）。また、最上階には下降方向のみの乗場釦６が設けられる（図２参照）。さらに、最下階には上昇方向のみの乗場釦（図示せず）が設けられる。これらの乗場釦５、６等は、乗場呼び登録手段８に接続される。そして、各乗場４のエレベータの利用者が所望する行き先方向に対応する乗場釦５等を押すことにより、乗場呼び５ａ等が乗場呼び登録手段８に登録される。
【００１３】
なお、図１においては、簡略化のため、最上階の直下階の乗場釦５のみが乗場呼び登録手段８に接続される状態を示している。また、図１及び図２においては、各階の乗場呼び５ａ等が登録されている場合を、各階の乗場４に対応する位置に、乗場釦４ａ押圧部に模した三角印を付すことで示している。例えば、図１においては、最上階の直下階に、上昇方向の乗場呼び５ａ及び下降方向の乗場呼び５ｂが登録されている場合を示している。
【００１４】
さらに、かご呼び登録手段７及び乗場呼び登録手段８は、かご走行制御手段９に接続される。このかご走行制御手段９は、駆動装置３にも接続される。かかる構成により、かご呼び登録手段７に登録されたかご呼び２ｂ及び乗場呼び登録手段８に登録された乗場呼び５ａ等の情報がかご走行制御手段９に入力される。そして、かご走行制御手段９が、入力されたかご呼び２ｂ及び乗場呼び４ｃに応答し、かご２の走行方向を決定して駆動装置３を介してかご２の走行及び停止を制御する。なお、図１及び図２においては、現状のかご２の走行方向時に応答するかご呼び２ｂ又は乗場呼び５ａ等を、丸印又は三角印の全体を黒く塗りつぶして示している。一方、現状のかご２の走行方向時に応答しない乗場呼び５ｂは、輪郭のみで示される。例えば、図１は、かご２が上昇方向に走行している場合であり、最上階の直下階のかご呼び２ｂ及び上昇方向の乗場呼び５ａに応答する一方、下降方向の乗場呼び５ｂには応答しない状態を示している。
【００１５】
次に、かご走行制御手段９の動作を、より詳細に説明する。まず、かご２が上昇方向に走行する場合で説明する。かご走行制御手段９は、かご２の走行方向前方の最上階以外の階であって、かご呼び２ｂ及びかご２の走行方向と同じ昇降方向の乗場呼び５ａの少なくとも一方が登録されている階に、かご２を停止させる（図１参照）。そして、かご走行制御手段９による応答が終了したかご呼び２ｂ又は乗場呼び５ａが取り消される。また、かご走行制御手段９は、かご２の走行方向前方の最上階に、かご呼び２ｂ及び乗場呼び６ａの少なくとも一方が登録されている場合も、最上階までかご２を走行させて停止させる（図２参照）。そして、かご走行制御手段９による応答が終了したかご呼び２ｂ又は乗場呼び６ａが取り消される。
【００１６】
しかし、かご走行制御手段９は、かご２の走行方向前方の最上階以外の階であって、かご呼び２ｂ及びかご２の走行方向と同じ昇降方向の乗場呼び５ａが双方とも登録されていない階には、かご２を停止させないで通過させる。即ち、かご２の走行方向と反対方向の乗場呼び５ｂのみが登録されている階には、かご２は停止しない。そして、現状のかご２の走行方向前方の階に応答させるかご呼び２ｂ及び乗場呼び５ａがなくなった場合に、かご走行制御手段９は、かご２を反転走行させる。その後、かご走行制御手段９は、上記同様の条件で下降方向に走行するかご２の走行及び停止を制御する。そして、上記動作が繰り返される。これにより、かご２の無駄な反転走行が減少し、ある程度の運行効率が図られる。
【００１７】
さらに、この発明のエレベータの制御装置においては、かご走行制御手段９が乗場呼び登録取消手段１０を備えている。これにより、更なるエレベータの運行効率が図られる。以下、この発明のエレベータの制御装置をより詳細に説明する。
【００１８】
まず、かご２が上昇方向に走行する場合で説明する。かご走行制御手段９は、かご２を最上階のかご呼び２ｂ又は乗場呼び６ａが登録されている場合、当該かご呼２ｂ等に応答し、かご２を最上階が走行させる。その途中で、最上階の直下階にかご呼び２ｂ又は上昇方向の乗場呼び５ａが登録されていれば、かご走行制御手段９は、かご２を当該直下階に停止させる。このとき、当該直下階の反最上階方向の乗場呼び５ｂが登録されている場合（図１参照）は、乗場呼び登録取消手段１０が、反最上階方向への移動を所望して当該直下階で待っている利用者（待客）に対して停止中のかご２に乗り込むように誘導する。より具体的には、「上に行きますが下の階へ行かれる方もお乗りください」等のアナウンスが流れる。また、これとともに、「下方へ行かれる方も行き先階の釦を押してください」等のアナウンスが流れる。さらに、乗場呼び登録取消手段１０は、これらの動作とともに、不要となった当該直下階の反最上階方向の乗場呼び５ｂを取り消す。
【００１９】
かかる構成のエレベータの制御装置においては、乗場呼び登録取消手段１０により当該直下階の反最上階方向の乗場呼び５ｂを取り消したときは、当該直下階の反最上階方向の乗場呼び５ｂに応答しないで、かご２の走行及び停止を制御する。即ち、当該直下階の反最上階方向の乗場呼び５ｂが取り消されると、かご走行制御手段９が、かご２を当初予定通り最上階へ走行させる（図２参照）。その後、かご走行制御手段９は、最上階の直下階でかご２内に誘導された利用者（待客）により登録されたかご呼び２ｂ等に応答して、かご２を最上階から反転走行させる。このとき、最上階の直下階には、反最上階方向の乗場呼び５ｂが登録されていない。従って、かご走行制御手段９は、かご２を当該直下階に停止させないで通過させる（図３参照）。なお、かご走行制御手段９は、当該直下階から最上階へ走行するときに、当該直下階にかご２が停止している際に登録されたもの以外のかご呼び２ｂが登録されている場合は、当該かご呼び２ｂも取り消す。これにより、悪戯によるかご２の走行方向後方のかご呼び２ｂが取り消される。
【００２０】
さらに、図４を用いて、動作フローを説明する。まず、乗場呼び登録手段８に最上階の直下階（ＴＯＰ−１階）の下降方向の乗場呼び５ｂ（ダウン呼び）登録が発生しているか否かを判定する（ステップＳ１）。下降方向の乗場呼び５ｂ登録が発生していない場合は、ステップＳ１にて当該判定を繰り返す。一方、下降方向の乗場呼び５ｂ登録が発生している場合は、かご２が最上階の直下階に停止しているか否かを判定する（ステップＳ２）。かご２が最上階の直下階に停止していない場合は、ステップＳ２にて当該判定を繰り返す。一方、かご２が最上階の直下階に停止している場合は、かご２が上昇方向（アップ方向）を保持しているか否かを判定する（ステップＳ３）。かご２が上昇方向を保持していない場合は、動作が終了する。一方、かご２が上昇方向を保持している場合は、最上階へのかご呼び２ｂがあるか否かを判定する（ステップＳ４）。最上階へのかご呼び２ｂがない場合は、最上階の下降方向の乗場呼び６ａがあるか否かを判定する（ステップＳ５）。
【００２１】
ステップＳ４で最上階のかご呼び２ｂがある場合や、ステップＳ５で最上階の下降方向の乗場呼び６ａがある場合は、エレベータの戸開がされたか否かを判定する（ステップＳ６）。当該戸開がされていない場合は、ステップＳ６を繰り返す。当該戸開がされた場合は、下降方向へ行くことを所望する利用者に対してかご２に乗り込むようにアナウンスを行う（ステップＳ７）。そして、ステップＳ８で、乗場呼び登録手段８に登録されている最上階の直下階の下降方向の乗場呼び５ｂを取り消す（キャンセルする）。その後、ステップＳ９で、かご２を最上階へ走行させる。そして、ステップＳ１０で、最上階の直下階でかご２に乗り込んだ利用者により押されたもの以外のかご呼び２ｂを取り消す（キャンセルする）。そして、最上階に到着したかご２の走行方向を反転させ、下降方向（ダウン方向）に切り替える（ステップＳ１１）。
【００２２】
なお、ステップＳ５で最上階の下降方向の乗場呼び６ａもない場合は、ステップＳ６〜Ｓ９は行われない。即ち、ステップＳ５の後に、最上階の直下階でかご２に乗り込んだ利用者により押されたもの以外のかご呼び６ａを取り消し（ステップＳ１０）、最上階に走行せずにかご２の走行方向を切り替える（ステップＳ１１）。
【００２３】
なお、詳細は説明しないが、この制御装置は、最下階近傍においても上記同様の動作を行う。かかる動作フローは図５のステップＳ２１〜Ｓ３１で示される。より具体的には、上述の最上階近傍における動作において、最上階及び最下階、直下階及び直上階、上下、上方及び下方、上昇及び下降等を反転して読み替えた動作となる。なお、図５においては、最下階の直上階をＢＯＴ＋１階と記載している。
【００２４】
以上で説明した実施の形態１によれば、かご２を最上階の直下階及び最下階の直上階で重複停止させる必要がなくなる。このため、当該重複停止により生ずるかごの減速時間、加速時間、戸開閉時間等の無駄な時間が削減される。その結果、エレベータの利用者全体の平均待ち時間が軽減される。
【００２５】
実施の形態２．
図示しないが、実施の形態２は、実施の形態１に比べ、更なるエレベータの運行効率が図られる。なお、以下では、実施の形態１と同一又は相当部分には同一符号を付して説明を省略する。
【００２６】
実施の形態２におけるかご走行制御手段９は、乗場呼び登録取消手段１０により、最上階の直下階の反最上階方向の乗場呼び５ｂを取り消したときに、最上階の乗場呼び６ａが未登録で、かご呼２ｂが登録されていて、かつ、かご２が無負荷の場合は、当該かご呼２ｂを取り消すものである。そして、当該かご呼び２ｂの取消後、かご走行制御手段９は、かご２を最上階へ走行させずに反最上階方向に走行させる。なお、かかる場合の乗場呼び登録取消手段１０が行う最上階の直下階で待っている利用者（待客）に対する誘導は、「下へまいります」等のアナウンスとなる。また、同様に、最下階近傍においても同様の動作が行われる。
【００２７】
以上で説明した実施の形態２によれば、当該重複停止により生ずる無駄な時間が削減されるだけでなく、終端階方向への走行時間自体をなくすことができる。従って、実施の形態１に比べ、より、エレベータの利用者全体の平均待ち時間が軽減される。これにより、かご２が利用者を乗せない状態で終端階に走行して、閉め促進をする閉釦が押されずに終端階に停留している等、最上階の直下階等の待客をイライラさせることがなくなる。
【００２８】
なお、実施の形態１及び実施の形態２においては、最上階の直下階又は最下階の直上階の重複停止等を回避する場合で説明した。しかし、これに限定する必要はない。即ち、高層ビル等で停止数の多いエレベータ等の場合には、終端階近傍の２つ手前の階等、任意階手前の複数階に拡張して適応してもよい。かかる場合、乗場呼び登録取消手段１０は、かご２を終端階又は終端階近傍の第一の階のかご呼又は乗場呼に応答し、かご２を終端階方向に走行させる途中で終端階近傍の第二の階に停止させたときに、第二の階の反終端階方向の乗場呼びが登録されている場合は、反終端階方向への移動を所望する第二の階の待客に対して第二の階に停止中のかご２に乗り込むように誘導するとともに、反終端階方向の乗場呼びを取り消すように動作すればよい。
【００２９】
上記構成の乗場呼び登録取消手段１０を備えたエレベータの制御装置は、乗場呼び登録取消手段１０により、第二の階の反終端階方向の乗場呼びを取り消したときは、取り消された前記第二の階の反終端階方向の乗場呼びに応答しないで、前記かごの走行及び停止を制御すればよい。より具体的には、制御装置は、かご２を第二の階から終端階又は第一の階まで走行させた後に反転走行させ、反転走行時のかご２を前記第二の階に停止させないで通過させればよい。これにより、停止数の多いエレベータにおいても、利用者全体の平均待ち時間が軽減される。
【００３０】
さらに、上記構成の乗場呼登録取消手段１０を実施の形態２に適応したエレベータの制御装置は、乗場呼び登録取消手段１０により、第二の階の反終端階方向の乗場呼びを取り消したときに、第二の階よりも終端階側の各階の乗場呼びが未登録で、第二の階よりも終端階側の各階のかご呼びが少なくとも一つ登録されていて、かつ、かご２が無負荷の場合は、登録されている第二の階よりも終端階側の階のかご呼びを取り消して、かご２を終端階方向に走行させずに反終端階方向に走行させる構成に拡張される。これにより、停止数の多いエレベータにおいても、より、利用者全体の平均待ち時間が軽減される。
【００３１】
加えて、乗場呼び登録取消手段１０により乗場呼びが取り消される第二の階が、待客が多いことが予め知られている階であれば、より効果的である。即ち、他の施設との連絡口となる階等、かご２の停止数が多い階の停止回数を削減することができる。
【００３２】
なお、この発明のエレベータの制御装置は、郡管理された複数のエレベータにも適応できる。しかし、反転走行が待客の平均待ち時間に与える影響が大きい単独設置のエレベータに適応したほうが、より大きな効果が得られるのは言うまでもない。
【図面の簡単な説明】
【００３３】
【図１】図１はこの発明の実施の形態１におけるエレベータの制御装置の概略システム構成図であって、かごが最上階の直下階に停止している状態を示している図である。
【図２】図２はかごが最上階の直下階から最上階へ走行する状態を示した図１相当図であって、かご走行制御手段等を省略した図である。
【図３】かごが最上階から最上階の直下階に停止せずに反最上階方向へ走行する状態を示した図２相当図である。
【図４】はこの発明の実施の形態１におけるエレベータの制御装置の最上階近傍での動作を説明するフローチャートである。
【図５】はこの発明の実施の形態１におけるエレベータの制御装置の最下階近傍での動作を説明するフローチャートである。
【符号の説明】
【００３４】
１  昇降路
２  かご
２ａ  かご釦
２ｂ  かご呼び
３  駆動装置
４  乗場
５  乗場釦
５ａ  上昇方向の乗場呼び
５ｂ  下降方向の乗場呼び
６  最上階の乗場釦
６ａ  最上階の乗場呼び
７  かご呼び登録手段
８  乗場呼び登録手段
９  かご走行制御手段
１０  乗場呼び登録取消手段
【図１】
2009051577.tif 000003
【図２】
2009051577.tif 000004
【図３】
2009051577.tif 000005
【図４】
2009051577.tif 000006
【図５】
2009051577.tif 000007